(57)【要約】【課題】人々にユーモアと癒しを与える人形の提供。【解決手段】人々にユーモアと癒しを与える手段として、普通の顔面状態からキスの仕草で唇を突き出し、また引き込むことで元の顔面状態に戻る一連の動作をする人形、および唇を突き出す動きに連動して瞼を閉じ、唇を引き込む動きに連動して瞼を開いて元の状態に戻る一連の動作をする人形を提供する。作動は、ボタン、あるいはスイツチの操作によって、ボタン、あるいは電動装置などに接続した押圧軸、および連結軸などを介し、唇を突き出し、瞼を閉じる動作をする。なお、人形とは人間の形態を表わす人形、猿や花など動植物の人形、および擬人化した人形など、包括的な人形を含むものである。また動力は手動、あるいは電動など手段を問はない。【選択図】　図２
2004057753.tif 000002
【特許請求の範囲】
【請求項１】
人形の身体の一部、または適宜な位置に設置されたボタン（４）、あるいはスイツチ（５）を操作することで、柔軟なゴム、あるいは樹脂などで作られた人形の顔を形成する外皮（１１）に設けられた唇（２）を、ボタン、あるいは電動装置（１４）などに接続した押圧軸（９）先端部の突起（１０）、あるいは弾性体を外皮内部から押し出し、また引き込むことで、通常の顔面状態から、キスをするような仕草で唇を突き出し、また元の顔面状態に戻る一連の動作をする人形（１）
【請求項２】
人形の身体の一部、または適宜な位置に設置されたボタン（４）、あるいはスイツチ（５）を操作することで、人形の顔を形成する外皮（１１）の開口部（１３）に設けられた、ゴム、あるいは風船状の弾性体（１６）で作られた唇（２）を、ボタン、あるいは電動装置（１４）などに接続した押圧軸（９）で圧縮し、開口部から唇状に押し出し、また引き込むことで、通常の顔面状態から、キスをするような仕草で唇を突き出し、また元の顔面状態に戻る一連の動作をする人形（１）
【請求項３】
人形の身体の一部、または適宜な位置に設置されたボタン（４）、あるいはスイツチ（５）を操作することで、人形の顔を形成する外皮（１１）の開口部（１３）から、ボタン、あるいは電動装置（１４）などに接続した押圧軸（９）の先端に接続された唇（２）を押し出し、また引き込むことで、通常の顔面状態から、キスをするような仕草で唇を突き出し、また元の顔面状態に戻る一連の動作をする人形（１）
【請求項４】
ボタン（４）、あるいは電動装置（１４）に接続した連結軸（１５）などを介して、人形の顔を形成する外皮（１１）の目の位置に開閉可能に具備された瞼（３）を唇（２）を突き出す動作に連動して閉じ、唇が引き戻されて元の状態になるのに合わせて瞼を開く一連の動作をする、請求項１、請求項２、および請求項３記載の人形（１）
【発明の詳細な説明】
【０００１】
【発明の属する技術分野】
本発明は人形に関するものである。
【０００２】
【従来の技術】
人形は埴輪などに見られるように古代から製作され、亡くなつた人を偲んだり、人の身代わりとしての守護神として、あるいは子供の遊び相手として、また雛人形に代表されるように、子供の成長を願つて、古来より人々の伴侶として安らぎを与えて来た。素材としては陶器、粘土で作られたもの、こけしに代表されるように木で作られたもの、金属、プラスチツク、樹脂、ゴム、あるいは布で作られたものなど様々である。人形の形態も、抱いて連れ歩くもの、着せ替えを楽しむもの、あるいは置物として観賞するものなど様々であり、動作も歩行するもの、人為的に形態を変えるもの、ミルクを飲むもの、寝かせると瞼を閉じるものなど対象とする人々の年代、目的に合わせ多種多様である。さらに、動植物を擬人化した人形も多く提供されている。最近は、人間そつくりな動作をするロボツトも現れて来た、今後も人形が人々に安らぎを与え、良き伴侶として生き続けることは間違い無い。
従来より、人形を身近に必要とする年代にはマニアを除いて類型が出来ている、大まかに分類すると、幼児期から思春期までと、子を世に送り出した後の老年期が人形を身近に必要とする年代であり、青年期の所謂大人になつた世代から壮年期にかけては人形をそれ程必要としないのが一般的である、だが、文明が高度に進化し、少子化、ＩＴの普及と共に人々の生のコミユニケーシヨンが希薄になり、男女を問わず、異性との会話も満足に出来ないばかりか、傷害など突発的な行動に走る世代が増えて来た。殺伐とした世情が長引くにつれ、思春期から青年期以降の世代にもユーモアと癒しを与える人形が必要となつて来た。
従来、多種多様な用途に応え、様々な動作をする人形が作られて来たにも関わらず、キスの仕草を固定化した人形があるものの、唇をキスをするような仕草で突き出し、また元の顔面状態に戻るという一連の動作をする人形は存在しない。また特許・実用新案公開広報で調査した範囲でも見当たらない。
【０００３】
【発明が解決しようとする課題】
本発明は、ユーモアと癒しを与える人形の提供を図るものである。
【０００４】
【課題を解決するための手段】
人々にユーモアと癒しを与える人形として、唇をキスの仕草で突き出す動作をする人形、および唇を突き出す動作に連動して瞼を閉じる動作をする人形を提供する。なお、唇を突き出す動作とは、通常の顔面状態から唇を突き出し、唇を引き込むと同時に元の通常の顔面状態に戻る一連の動作を指す、また瞼を閉じる動作とは唇を突き出す動作に連動して瞼を閉じ、唇を引き込む動作に連動して瞼を開ける一連の動作をさす。さらに人形とは、人間の形態を表わす人形、猿や花など動植物の人形、および擬人化した人形など、包括的な人形を含むものである。
【０００５】
請求項１記載の唇を突き出す一連の動作をする人形は、通常の顔面状態から、キスをするような仕草で唇を突き出し、また元の顔面状態に戻る一連の動作をするものである。人形１の身体の一部、または適宜な位置に設置されたボタン４、あるいはスイツチ５の操作により、ボタン、あるいは電動装置１４などに接続した押圧軸９の先端の突起１０、あるいは球根状の弾性体が、人形１の顔を形成する、柔軟なゴム、樹脂、あるいはプラスチツクなどで作られた外皮１１に設けられた唇２部分を内部から押し出すことで、人形が、あたかもキスをするような仕草で、唇を突き出すものである。ボタン、あるいは電動装置などに接続した押圧軸がスプリング１２、あるいは電動装置などの作動で元に戻ると同時に唇は引き戻され、顔も元の顔面状態に戻るものである。
【０００６】
請求項２記載の唇を突き出す一連の動作をする人形は、人形１の身体の一部、または適宜な位置に設置されたボタン４、あるいはスイツチ５を操作することで、人形の顔を形成する外皮１１の開口部１３に設けられた、ゴム、あるいは風船状の弾性体１６で作られた唇２を、ボタン、あるいは電動装置１４などに接続した押圧軸９で圧縮し、開口部から唇状に押し出すことで、通常の顔面状態から、キスをするような仕草で唇を突き出すものである。ボタン、あるいは電動装置などに接続した押圧軸がスプリング１２、あるいは電動装置などの作動で引き戻されると同時に弾性体で作られた唇は圧縮される前の状態に戻り、顔も元の顔面状態に戻る。
【０００７】
請求項３記載の唇を突き出す一連の動作をする人形は、人形１の身体の一部、または適宜な位置に設置されたボタン４、あるいはスイツチ５を操作することで、人形の顔を形成する外皮１１の開口部１３から、ボタン、あるいは電動装置１４などに接続した押圧軸９の先端に接続した唇形状に作られた唇２を押し出すことで、通常の顔面状態から、キスをするような仕草で唇を突き出すものである。ボタン、あるいは電動装置などに接続した押圧軸がスプリング１２、あるいは電動装置などの作動で引き戻されると唇は元の状態に戻り、顔も元の顔面状態に戻る。
【０００８】
請求項４記載の人形は、請求項１、請求項２、および請求項３記載の唇を突き出す一連の動作をする人形の、唇を突き出す動作に連動して瞼を閉じ、唇が元の状態に戻るとともに瞼を開ける一連の動作をするものである。ボタン４、あるいは電動装置１４などに接続した連結軸１５などを介して、人形の顔を形成する外皮１１の目の位置に開閉可能に具備された瞼３を唇２を突き出す動作に連動して閉じ、唇が引き戻されて元の状態になるのに合わせて瞼を開く一連の動作をする人形である。
【０００９】
【発明の実施の形態】
発明の実施の形態について図面を参照して説明する。
図１は、請求項１記載の人形の１例を示す絵画図で、側面から見た図である。本図は手動で作動するものの一例である、人形１の一部、図１では頭頂部に設けられたボタン４を押圧するとキスをするような仕草で唇２を突き出し、ボタンを離すと元の顔に戻るものの一連の動きを模式的に図示したものである。図１−ａは頭頂部のボタンを押圧する前の通常の顔面状態で、図１−ｂはボタンを押圧して唇が突き出た状態を示す、ボタンを離すと図１−ａの元の状態に戻る。顔を形成する外皮の素材は柔軟なゴム、樹脂、あるいはプラスチツクなどで作られている。
【００１０】
図２は、図１の人形の内部構造を示す１例の断面の模式図で、プラスチツク、あるいは金属などで作られた外皮１１を支持する筐体７の内部に設けられた鞘管８に外皮に設けられた唇２を突き出すための押圧軸９が挿入されたものである、押圧軸の頭部はボタン４に接続し、他端は適度にフレキシブルな軸を通して球根状の突起１０に接続している。ボタンを押圧する事で、突起は鞘管より突出し、柔軟なゴム、あるいは樹脂などで作られ、筐体を被覆した外皮１１に設けられた唇２を内部から押し出すことで人形１はあたかもキスをするような仕草で唇を突き出す。ボタンを離すと、押圧軸に接続した突起１０はスプリング１２の力で引き戻され、外皮に設けられた唇は元の状態に戻る。図の破線部分は突起に押し出され、唇が突き出た状態を示す。構造は極めて単純でかつ堅牢なものである。なお、本図では筐体を外皮が被覆しているが、外皮の材質により外皮が適度な強度を持つ場合には外皮を支持する筐体は不必要である。
【００１１】
図３は、図１の１例の唇部分の拡大断面図で、請求項１記載の人形の一例に該当するものである。柔軟なゴム、樹脂、あるいはプラスチツクなどで製作された人形の顔を形成する外皮１１に設けられた唇２をボタンに接続した押圧軸９の先端部の突起１０が、外皮内部から押し出すことで、人形はキスをする仕草で唇を突き出し、押圧軸が引き戻されると、唇は元の状態に戻る、図の破線部分は唇を突き出した状態を表わしている。
【００１２】
図４は、人形の他例１の唇部分の拡大断面図で、請求項２記載の人形の一例に該当するものである。人形の顔を形成する外皮１１の開口部１３に設けられた球根状のゴム、あるいは風船状の弾性体１６で作られた唇２を、ボタン、あるいは電動装置などに接続した押圧軸９で圧縮し、開口部から唇状に押し出すことで、通常の顔面状態から、キスをするような仕草で唇を突き出すものである。押圧軸が引き戻されると、弾性体で作られた唇は圧縮される前の元の状態に戻る、図の破線部分は唇を突き出した状態を表わしている。
【００１３】
図５は、人形の他例２の唇部分の拡大図で、請求項３記載の人形の一例に該当するものである。人形の顔を形成する外皮１１の開口部１３から、ボタン、あるいは電動装置などに接続した押圧軸９の先端に接続された唇形状に作られた唇２を押し出すことで、通常の顔面状態から、キスをするような仕草で唇を突き出し、押圧軸が引き戻されると、唇は元の状態に戻る。図の破線部分は唇を突き出した状態を表わしている。
【００１４】
図６は、請求項４記載の人形の１例を示す絵画図で、正面から見た図である。本例は人形の内部に組み込まれた電動装置で作動するものである。本例は、人形の胸像部分で、主として室内などに置かれるものである。人形１の一部、図６では右肩部に設けられたスイツチ５を操作することでキスをする仕草で唇２を突き出すと共に、突き出す動きに連動して瞼３を閉じる動作をし、唇が引き込むと共に、引き込む動きに連動して瞼を開け、元の顔に戻る一連の動きを模式的に図示したものである。図６−ａはスイツチを操作する前の人形の状態を示し、図６−ｂはスイツチを操作し、人形が唇２を突き出すと共に、突き出す動きに連動して瞼３を閉じた状態を表わす、スイツチを切ると図６−ａの元の状態に戻るものである。
【００１５】
図７は、図６の人形の内部構造を示す一例の断面の模式図で、請求項４記載の人形の一例に該当するものである。唇を突き出す動作に連動して瞼を閉じ、唇が元の状態に戻るとともに瞼を開ける一連の動作をするものである。図では、人形内部に組み込まれ、スイツチ５の操作で起動する電動装置１４などに接続した連結軸１５を介して、人形の顔を形成する外皮１１の目の位置に開閉可能に具備された瞼３を唇２を突き出す動作に連動して閉じ、唇が引き込んで元の状態に戻るのに連動して瞼を開く一連の動作をするものである。なお、７は外皮を支持する筐体、９は唇を突き出し、また引き込むための押圧軸、１０は押圧軸先端の突起である。図の破線部分は、唇を突き出し、連動して瞼を閉じた状態を表わしている。
【００１６】
図８は、請求項１記載の人形の一例をキーホルダーや、携帯電話のストラツプ１７の付属品として取り付けた部分摸式図である。本例では人形は河童の顔に模しており、ボタン４を押すと河童は唇２を突き出し、ボタンを離すと唇を引き込めて元の状態に戻る。外皮の一部には河童の頭髪に相当する植毛を施している。
【００１７】
図１の人形は構造も簡単で、小型化できることから図８に示したようにキーホルダーや、携帯電話のストラツプの付属品として携帯にも便利である、なお図１では人形の頭部、また図６に示した人形は、胸像としたが、両方とも全身の人形とすることが可能である。人形の顔を形成する柔軟なゴム、樹脂、あるいはプラスチツクなどの素材で作られた外皮、および外皮の一部、あるいは弾性体などで作られた人形の顔に設けられた唇は抗菌加工を施すことで清潔さを保つことが可能である。
【００１８】
【発明の効果】
本発明の人形は、通常の顔面状態からキスをするような仕草で唇を突き出し、また元の顔面状態に戻る一連のユーモラスな動作をすることで、人々にユーモアと癒しを与えることが可能となる、また、唇を突き出す動きに連動して瞼を閉じる動作が加わることで、愛らしさが一層増すことになる。人形が与えるユーモアや癒しによつて人々の気持ちに落ち着きを与え、若者の強暴な行動を防ぐことが期待出来るとともに、子供から学生、独身者などまで、人形を持つ年齢層の拡大も期待出来る。
【図面の簡単な説明】
【図１】請求項１記載の人形の１例の絵画図。
【図２】図１の人形の内部構造を示す１例の断面の模式図。
【図３】図１の人形の唇部分の拡大図。
【図４】人形の他例１の唇部分の拡大図。
【図５】人形の他例２の唇部分の拡大図。
【図６】請求項４記載の人形の１例の絵画図。
【図７】図６の人形の内部構造を示す一例の断面の模式図。
【図８】人形をストラツプの付属品とした例の部分摸式図。
【符号の説明】１　…　人形
２　…　唇
３　…　瞼
４　…　ボタン
５　…　スイツチ
６　…　顎
７　…　筐体
８　…　鞘管
９　…　押圧軸
１０　…　突起
１１　…　外皮
１２　…　スプリング
１３　…　外皮開口部
１４　…　電動装置
１５　…　連結軸
１６　…　弾性体
１７　…　ストラツプ
【図１】
2004057753.tif 000003
【図２】
2004057753.tif 000004
【図３】
2004057753.tif 000005
【図４】
2004057753.tif 000006
【図５】
2004057753.tif 000007
【図６】
2004057753.tif 000008
【図７】
2004057753.tif 000009
【図８】
2004057753.tif 000010